(57)【要約】      （修正有）【課題】ネジなしで結合可能な眼鏡組み合わせ構造を提供する。【解決手段】両側に連結段１１と、突出した２つの枢接軸１２１及び一つの当接壁１２２を含む第１の結合部１２とがそれぞれ設けられた眼鏡フレームと、眼鏡脚主体２１と第２の結合部２２とを含み、第２の結合部２２が離間した上係止片２２１と下係止片２２２とを含み、上係止片２２１び下係止片２２２が眼鏡脚主体２１の内側に固定され、２つの枢接軸１２１に対応する枢接孔２２３がそれぞれ設けられ、枢接孔２２３が枢接軸１２１に枢接されることで、眼鏡脚と眼鏡フレームとを素早く組み合わせることができるとともに２つの枢接軸１２１を回転軸として内方へ折り畳み収納しまたは外方へ拡開可能な眼鏡脚とを備える。【選択図】図２
0003199165.tif 000002
【実用新案登録請求の範囲】
【請求項１】
両側に連結段と、前記連結段の末端に設けられ、突出した２つの枢接軸及び一つの当接壁を含む第１の結合部とがそれぞれ設けられた眼鏡フレームと、
眼鏡脚主体と前記眼鏡脚主体の先端に設けられた第２の結合部とを含み、前記第２の結合部が離間した上係止片と下係止片とを含み、前記上係止片及び下係止片が前記眼鏡脚主体の内側に固定され、前記上係止片及び下係止片の先端には一方の枢接軸に対応する枢接孔がそれぞれ設けられ、前記２つの枢接孔が前記２つの枢接軸に枢接されることで、前記眼鏡フレームに対して内方へ折り畳み収納しまたは外方へ拡開可能な眼鏡脚と、
を備えることを特徴とするネジなし眼鏡組み合わせ構造。
【考案の詳細な説明】
【技術分野】
【０００１】
本考案は、眼鏡構造に関し、特に眼鏡脚と眼鏡フレームとをネジなしで結合可能な眼鏡組み合わせ構造に関するものである。
【背景技術】
【０００２】
従来の眼鏡は、一般に、眼鏡フレームと２つの眼鏡脚とからなる。眼鏡フレームの両側には、第１の枢接部がそれぞれ設けられ、該眼鏡脚の先端には、第２の枢接部が設けられている。該第１の枢接部と該第２の枢接部とが突き合わせられた後、該第１の枢接部と該第２の枢接部とがネジで関節のように結合されることで、眼鏡脚は、眼鏡フレームに対して内方へ折り畳み収納しまたは外方へ拡開することができる。
【０００３】
しかしながら、ネジは、長期間の使用によって次第に緩みやすくなり、適当な締め付け力を維持するために、ときどき回転締め付ける必要があり、操作上不便である。さらに、眼鏡製造技術の向上のため、眼鏡フレーム及び眼鏡脚は、強靭且つ軽質の材質からなるのが多くある。薄型眼鏡の眼鏡フレームと眼鏡脚との組み合わせのために、簡易に組み合わせかつ安定的に結合可能なその他の構造を深く考える必要がある。
【考案の概要】
【考案が解決しようとする課題】
【０００４】
そこで、本考案は、ネジを用いることなく、眼鏡脚を眼鏡フレームと容易に結合するための眼鏡組み合わせ構造を提供することを目的とする。
【課題を解決するための手段】
【０００５】
本考案は、両側に連結段と、突出した２つの枢接軸及び一つの当接壁を含む第１の結合部とがそれぞれ設けられた眼鏡フレームと、眼鏡脚主体と前記眼鏡脚主体の先端に設けられた第２の結合部とを含み、前記第２の結合部が離間した上係止片と下係止片とを含み、前記上係止片及び下係止片が前記眼鏡脚主体の内側に固定され、前記上係止片及び下係止片の先端には一方の枢接軸に対応する枢接孔がそれぞれ設けられ、前記２つの枢接孔が前記２つの枢接軸に枢接されることで、前記眼鏡フレームに対して内方へ折り畳み収納しまたは外方へ拡開可能な眼鏡脚と、を備えることを特徴とするネジなし眼鏡組み合わせ構造を提供する。
【考案の効果】
【０００６】
本考案に係る眼鏡組み合わせ構造によれば、眼鏡脚と眼鏡フレームとの組み付けは、ネジを用いることなく完成することができるため、従来のようにネジが緩みやすい問題を改善することができる。また、眼鏡脚及び眼鏡フレームの角度に弾力性を有するため、装着時の快適性を高めることができる。
【図面の簡単な説明】
【０００７】
【図１】本考案に係る眼鏡組み合わせ構造の組み合わせ立体図である。
【図２】図１の眼鏡組み合わせ構造の局所構造分解図である。
【図３】図１の眼鏡組み合わせ構造の局所構造組み合わせ図である。
【図４】図１の眼鏡組み合わせ構造の局所構造断面図である。
【考案を実施するための形態】
【０００８】
図１〜４に示すように、本考案に係るネジなし眼鏡組み合わせ構造は、眼鏡フレーム１０と、眼鏡脚２０とを含む。眼鏡フレーム１０の両側に、連結段１１と、連結段１１の末端から外方へ延在する第１の結合部１２とがそれぞれ設けられている。第１の結合部１２は、対称をなす２つの凸柱状の２つの枢接軸１２１と一つの当接壁１２２とを含む。
【０００９】
眼鏡脚２０は、先端２１１に第２の結合部２２が設けられた眼鏡脚主体２１を有し、第２の結合部２２と第１の結合部１２との組み合わせにより、コンパクトかつ組み付けが容易な薄型眼鏡構造となる。この実施例において、第２の結合部２２は、離間した上係止片２２１と下係止片２２２とを含む。上係止片２２１及び下係止片２２２の根部は、眼鏡脚主体２１の内側に固定され、上係止片２２１及び下係止片２２２の先端には一方の枢接軸１２１に対応する枢接孔２２３がそれぞれ設けられている。
【００１０】
図３に示すように、上係止片２２１及び下係止片２２２の枢接孔２２３を介して第１の結合部１２の２つの枢接軸１２１にそれぞれ覆設されることにより、眼鏡脚２０と眼鏡フレーム１０とをネジなしで素早く組み合わせ可能であるという効果を奏することができ、眼鏡脚２０は、該枢接箇所を回転軸として眼鏡フレーム１０に対して折り畳み収納しまたは外方へ拡開することができる。
【００１１】
図３、４に示すように、眼鏡脚２０が眼鏡フレーム１０に対して外方へ拡開した場合、眼鏡脚主体２１の先端２１１は当接壁１２２に当接し、適当な締め付け力が形成される。さらに、眼鏡脚２０が外方へ拡開した場合、眼鏡脚主体２１の先端２１１は止め縁１２３によって止められ、眼鏡脚２０の過度の拡開が回避される。また、適当な拡開角度は、顔の大きいユーザに快適性の装着効果を提供することができる。
【００１２】
本考案に係るネジなし眼鏡組み合わせ構造によれば、眼鏡フレームと眼鏡脚とをネジなしで素早く組み合わせることができるともに、ネジが緩みやすい欠点を改善することができる。従って、本考案に係るネジなし眼鏡組み合わせ構造は、所定の目的を達成することができる。
【００１３】
上記のように、これらの実施の形態は本考案の好ましい実施例のみであり、本考案の特許請求の範囲に基づいてなされる等価の変更や修飾は、本考案の技術範囲に入るものである。
【００１４】
以上のように、本考案では、両側に連結段と、前記連結段の末端に設けられ、突出した２つの枢接軸及び一つの当接壁を含む第１の結合部とがそれぞれ設けられた眼鏡フレームと、眼鏡脚主体と前記眼鏡脚主体の先端に設けられた第２の結合部とを含み、前記第２の結合部が離間した上係止片と下係止片とを含み、前記上係止片及び下係止片が前記眼鏡脚主体の内側に固定され、前記上係止片及び下係止片の先端には一方の枢接軸に対応する枢接孔がそれぞれ設けられ、前記２つの枢接孔が前記２つの枢接軸に枢接されることで、前記眼鏡フレームに対して内方へ折り畳み収納しまたは外方へ拡開可能な眼鏡脚と、を備えることを特徴とするネジなし眼鏡組み合わせ構造とするものである。
【産業上の利用可能性】
【００１５】
本考案に係る眼鏡組み合わせ構造によれば、眼鏡脚と眼鏡フレームとの組み付けは、ネジを用いることなく完成することができるため、従来のようにネジが緩みやすい問題を改善することができる。また、眼鏡脚及び眼鏡フレームの角度に弾力性を有するため、装着時の快適性を高めることができる。
【符号の説明】
【００１６】
１０  眼鏡フレーム
１１  連結段
１２  第１の結合部
１２１  枢接軸
１２２  当接壁
１２３  止め縁
２０  眼鏡脚
２１  眼鏡脚主体
２１１  先端
２２  第２の結合部
２２１  上係止片
２２２  下係止片
２２３  枢接孔
【図１】
0003199165.tif 000003
【図２】
0003199165.tif 000004
【図３】
0003199165.tif 000005
【図４】
0003199165.tif 000006